(57)【特許請求の範囲】
【請求項１】
箱状とされた分配器本体の一面からＬ字状に突出するよう設けられているプラグ部と、前記分配器本体の側面から突出するよう設けられている複数のコネクタ部を備えるＬ型回転分配器であって、
前記プラグ部においては、前記分配器本体の一面からほぼ直交して突出するよう形成されている円筒状のプラグ用突出部に、略円筒状に形成されているプラグ回転本体が回転可能に固着されていると共に、該プラグ用突出部内には、中心導体を略中心軸上に保持するプラグ用筒状絶縁体が嵌挿されて、前記中心導体に嵌着されている閉塞円盤の周縁部が、前記プラグ回転本体の内周面に形成されている係止突起に係合されており、
前記プラグ部が外部の同軸コネクタに取り付けられた際に、該同軸コネクタの先端が前記閉塞円盤に当接するようにされて、前記分配器本体が前記プラグ回転本体に対して回転可能とされていることを特徴とするＬ型回転分配器。
【請求項２】
前記プラグ回転本体の内周面に形成されている前記係止突起の前側がテーパ状に形成されたテーパ状部とされており、このテーパ状部に前記閉塞円盤のテーパ状とされている外周縁が当接されて係止されていることを特徴とする請求項１記載のＬ型回転分配器。
【請求項３】
前記中心導体が前記閉塞円盤のほぼ中央に形成されている挿通孔に挿通されていると共に、前記中心導体の中途に形成されている係合部に前記挿通孔の周縁が抜け出ないように係合していることを特徴とする請求項１記載のＬ型回転分配器。
【請求項４】
前記プラグ用突出部に、リング状に形成されているアースバネを介して、前記プラグ回転本体が回転可能に固着されていることを特徴とする請求項１記載のＬ型回転分配器。
【請求項５】
前記アースバネは、前記プラグ回転本体の内周面に形成されたスプリング収納部の溝内から抜け出ないように収納されていることを特徴とする請求項１記載のＬ型回転分配器。
【請求項６】
前記分配器本体内には分配回路が組まれている基板が収納されており、該基板に接続されている前記中心導体を介して入力された信号が、前記分配回路で分配されて、前記複数のコネクタ部から出力されるようになされていることを特徴とする請求項１記載のＬ型回転分配器。
【請求項７】
前記プラグ用突出部に前記プラグ回転本体が嵌挿されて、前記プラグ用突出部の先端を前記プラグ回転本体の内周面から突出するように形成されている回転係合部に回転可能にカシメることにより、前記プラグ用突出部に前記プラグ回転本体が回転可能に固着されていることを特徴とする請求項１記載のＬ型回転分配器。
【発明の詳細な説明】
【０００１】
【発明の属する技術分野】
本発明は、箱状の分配器本体の一面からＬ字状に突出するようにプラグ部が設けられ、側面に複数のコネクタ部が設けられており、プラグ部が外部の同軸コネクタに固着された状態において分配器本体を回転することのできるＬ型回転分配器に関するものである。
【０００２】
【従来の技術】
従来、住宅内の壁面に設けられたテレビコンセントから出力されるＴＶ信号を分配してテレビやＶＴＲ等に供給することが行われている。このようにテレビコンセントからの出力を２分配して他の機器に接続する際には、テレビコンセントに同軸ケーブルの一端に設けられている同軸プラグを接続し、その他端に設けられている同軸プラグを分配器に設けられている同軸コネクタに接続する。そして、分配器に設けられた分配出力端子である２つの同軸コネクタにそれぞれ同軸ケーブルの一端に設けられた同軸プラグを接続して、他端に設けられた同軸プラグを分配信号を入力する他の機器に設けられた同軸コネクタにそれぞれ接続するようにしている。
【０００３】
【発明が解決しようとする課題】
【０００４】
このような２分配器においては、テレビコンセントと壁面等に固着した２分配器間を同軸ケーブルで接続しなければならず、取付作業が繁雑であると共に２分配器を取り付ける空間が必要になる。そこで、２分配器に同軸プラグを設けてこの同軸プラグをテレビコンセントに設けられている同軸コネクタに接続することが考えられる。しかしながら、同軸プラグは同軸コネクタに螺着することにより固着されることから、同軸コネクタの先端面が同軸プラグ内に圧接されて２分配器はテレビコンセントに対して回転できないようになる。すると、２分配器の同軸コネクタに接続されている同軸ケーブルが屈曲されて応力が発生した際に、その応力が原因となって、２分配器や同軸コネクタの破損や緩みの原因になるという問題点があった。特に、緩みが発生すると同軸プラグのアースの接続が不完全となり、２分配器の挿入損失特性および反射損失特性が劣化し、信号の授受に支障を与えるという問題点が生じるようになる。
また、２分配器の周囲に複数の同軸コネクタが設けられることから、同軸コネクタに接続されている同軸ケーブルがまとまらなくなり、その引き回しが煩雑になるという問題点もあった。さらに、２分配器に同軸プラグを設けた際に、同軸プラグと同軸コネクタとは、一般に同じ平面上に設けられることから、同軸プラグを機器に設けられている同軸コネクタに螺着した際に、２分配器がテレビコンセントに対して垂直に固着されて、大きく前方へ突出してしまうという問題点があった。
【０００５】
そこで、本発明は、分配器におけるプラグ本体部が被取付体に対して緩むことがないように回転可能とすることができると共に、大きく突出しないようにしたＬ型回転分配器を提供することを目的としている。
【０００６】
【課題を解決するための手段】
上記目的を達成するために、本発明のＬ型回転分配器は、箱状とされた分配器本体の一面からＬ字状に突出するよう設けられているプラグ部と、前記分配器本体の側面から突出するよう設けられている複数のコネクタ部を備えるＬ型回転分配器であって、前記プラグ部においては、前記分配器本体の一面からほぼ直交して突出するよう形成されている円筒状のプラグ用突出部に、略円筒状に形成されているプラグ回転本体が回転可能に固着されていると共に、該プラグ用突出部内には、中心導体を略中心軸上に保持するプラグ用筒状絶縁体が嵌挿されて、前記中心導体に嵌着されている閉塞円盤の周縁部が、前記プラグ回転本体の内周面に形成されている係止突起に係合されており、前記プラグ部が外部の同軸コネクタに取り付けられた際に、該同軸コネクタの先端が前記閉塞円盤に当接するようにされて、前記分配器本体が前記プラグ回転本体に対して回転可能とされている。
【０００７】
また、上記本発明のＬ型回転分配器において、前記プラグ回転本体の内周面に形成されている前記係止突起の前側がテーパ状に形成されたテーパ状部とされており、このテーパ状部に前記閉塞円盤のテーパ状とされている外周縁が当接されて係止されていてもよい。
さらに、上記本発明のＬ型回転分配器において、前記中心導体が前記閉塞円盤のほぼ中央に形成されている挿通孔に挿通されていると共に、前記中心導体の中途に形成されている係合部に前記挿通孔の周縁が抜け出ないように係合していてもよい。
さらにまた、前記プラグ用突出部に、リング状に形成されているアースバネを介して、前記プラグ回転本体が回転可能に固着されていてもよい。
さらに、本発明のＬ型回転分配器において、前記アースバネは、前記プラグ回転本体の内周面に形成されたスプリング収納部の溝内から抜け出ないように収納されていてもよい。
さらにまた、本発明のＬ型回転分配器において、前記分配器本体内には分配回路が組まれている基板が収納されており、該基板に接続されている前記中心導体を介して入力された信号が、前記分配回路で分配されて、前記複数のコネクタ部から出力されるようになされていてもよい。
さらにまた、本発明のＬ型回転分配器において、前記プラグ用突出部に前記プラグ回転本体が嵌挿されて、前記プラグ用突出部の先端を前記プラグ回転本体の内周面から突出するように形成されている回転係合部に回転可能にカシメることにより、前記プラグ用突出部に前記プラグ回転本体が回転可能に固着されていてもよい。
【０００８】
このような本発明によれば、分配器本体の一面からプラグ部をほぼ直交するようＬ字状に突出するようにしたので、プラグ部をテレビコンセント等の同軸コネクタに螺着した際に、分配器本体はテレビコンセント等の取付面にほぼ平行に配置され、前方へ大きく突出しないようになる。
また、Ｌ型回転分配器のプラグ部をテレビコンセント等の同軸コネクタに螺着した際に、その同軸コネクタの先端が、プラグ部の内部に配置されている閉塞円盤に当接するようになるため、プラグ回転本体は分配器本体に対して回転可能となる。したがって、Ｌ型回転分配器におけるコネクタ部に接続されている同軸ケーブルに応力が発生してもその応力は、分配器本体が回転することにより取り除かれ、同軸プラグが緩まないようになる。これにより、応力によるＬ型回転分配器の破損を防止することができると共に、アースを完全にとることができるようになる。さらにまた、このようにＬ型回転分配器を取り付けた状態において分配器本体が回転可能に構成されていても、プラグ回転本体内に収納されたアースバネにより確実なアース接続を行うことができるため、Ｌ型回転分配器の電気的特性が劣化することはない。
なお、閉塞円盤のテーパ状とされている外周縁が、係止突起の前側に形成されているテーパ状部に当接されて係止されるため、閉塞円盤は確実に同軸コネクタの先端を受け止めることができる。
【０００９】
【発明の実施の形態】
本発明の実施の形態にかかるＬ型回転分配器全体の構成を図１ないし図４に示す。ただし、図１は本発明にかかるＬ型回転分配器の平面図であり、図２はその正面図であり、図３はその側面図であり、図４は断面図で表すその側面図である。
図１ないし図４に示すように本発明にかかるＬ型回転分配器１は、例えば２分配器とされ、導電性の例えば金属製とされたホームベース状の５角形の箱状の分配器本体２からなり、その底面からＬ字状にプラグ部１３がほぼ直交して突出するように設けられている。さらに、分配器本体２の一側面に第１コネクタ部１１と第２コネクタ部１２が設けられている。プラグ部１３が設けられている平面と、第１コネクタ部１１と第２コネクタ部１２が設けられている平面とはほぼ直交されている。そして、プラグ部１３には入力信号が印加され、Ｌ型回転分配器１により分配された分配出力が第１コネクタ部１１および第２コネクタ部１２から出力されるようになされている。
【００１０】
分配器本体２には、例えばダイキャスト製の蓋部１４が嵌着されてその内部は収納部とされており、収納部には分配回路が組まれた基板２１が収納されている。第１コネクタ部１１および第２コネクタ部１２は同様の構成とされており、外周面にネジが形成されているコネクタ用突出部の内部には図４に示すように中心コンタクト４１をほぼ中心軸上に保持しているコネクタ用筒状絶縁体４２が収納されている。これにより、第１コネクタ部１１および第２コネクタ部１２に同軸ケーブルの先端に装着されている同軸プラグを螺着することにより固着することができ、この際に同軸プラグの中心導体が中心コンタクト４１内に挿入されて電気的に接続されるようになる。
【００１１】
また、プラグ部１３は、分配器本体２の一面からほぼ垂直に形成されているプラグ用突出部に回転可能にプラグ回転本体３５を固着することにより構成されている。プラグ用突出部の内部には図４に示すように中心導体３１をほぼ中心軸上に保持しているプラグ用筒状絶縁体３２が収納されている。さらに、中心導体３１の中途には閉塞円盤３３が嵌着されており、この閉塞円盤３３の周縁部はプラグ回転本体３５の内周面から突出してリング状に形成されている係止用リング状突起に係止されている。これにより、テレビコンセント等の同軸コネクタに、プラグ部１３におけるプラグ回転本体３５を螺着することにより固着することができ、この際にプラグ部１３の中心導体３１が同軸コネクタの中心コンタクト内に挿入されて電気的に接続されると共に、同軸プラグの先端が閉塞円盤３３に衝合するようになる。
【００１２】
このような本発明にかかるＬ型回転分配器１の詳細な構成を、図５に示す分解組立図、および、図６ないし図２４に示す部品図を参照しながら以下に説明する。ただし、図６は分配器本体２の平面図であり、図７は分配器本体２の断面図で表した側面図であり、図８は分配器本体２の底面図である。また、図９は蓋部１４の断面図で表した側面図であり、図１０は蓋部１４の平面図であり、図１１は蓋部１４の側面図であり、図１２は蓋部１４の底面図である。さらに、図１３はプラグ回転本体３５の半断面図で表した平面図であり、図１４はプラグ回転本体３５の正面図である。さらにまた、図１５は中心導体３１の斜視図であり、図１６はプラグ用筒状絶縁体３２の正面図およびその断面図であり、図１７はプラグ用筒状絶縁体３２の側面図およびその断面図であり、図１８はプラグ用筒状絶縁体３２の正面図および底面図である。さらにまた、図１９はコネクタ用筒状絶縁体４２の半断面図で表した平面図であり、図２０はコネクタ用筒状絶縁体４２の正面図である。さらにまた、図２１は中心コンタクト４１の平面図であり、図２２は中心コンタクト４１の正面図であり、図２３は中心コンタクト４１の右側面図であり、図２４は中心コンタクト４１の左側面図であり、図２５は中心コンタクト４１のＡ−Ａ線断面図およびＢ−Ｂ線断面図である。
【００１３】
まず、本発明の実施の形態に係るＬ型回転分配器１の組立方法を説明する。
分配器本体２は、図５および図６ないし図８に示すようにホームベース状の５角形の箱状にダイキャスト等により作成されている。分配器本体２の周囲は壁部２ａにより取り囲まれており、その内部は収納部２ｂとされている。収納部２ｂ内には複数、例えば７本のボス２ｃが立設されている。分配器本体２の底面からは円筒状のプラグ用突出部２ｇが形成されており、その内部に形成されているプラグ用貫通孔２ｆは収納部２ｂに連通している。また、分配器本体２の一側面からは２つのコネクタ用第１突出部２ｄおよびコネクタ用第２突出部２ｅが突出するよう形成されている。コネクタ用第１突出部２ｄおよびコネクタ用第２突出部２ｅの内部に形成されているコネクタ用貫通孔２ｉはそれぞれ収納部２ｂに連通している。
【００１４】
このような構成の分配器本体２における収納部２ｂ側からプラグ用筒状絶縁体３２をプラグ用貫通孔２ｆ内に嵌挿する。絶縁性の樹脂製とされたプラグ用筒状絶縁体３２は、図１６ないし図１８に示すように絶縁体本体部３２ａから径が細くされた突出部３２ｂが延伸されており、その内部には貫通孔３２ｃが形成されている。絶縁体本体部３２ａと突出部３２ｂとの境界には鍔部３２ｄが形成されており、この鍔部３２ｄの両側は一部切り欠かれるよう切欠３２ｆが形成されている。なお、絶縁体本体部３２ａは２重の円筒状に形成されており、その間には十文字状しきり部３２ｅが形成されている。このようなプラグ用筒状絶縁体３２をプラグ用貫通孔２ｆ内に嵌挿した際に、鍔部３２ｄの下面がプラグ用貫通孔２ｆの上縁部に当接され、その切欠３２ｆの側面がボス２ｃの一つの側面に当接するようになる。これにより、プラグ用筒状絶縁体３２はプラグ用貫通孔２ｆに対して回り止めされる。
【００１５】
次に、分配器本体２の収納部２ｂ内に分配回路が組まれている基板２１を収納する。この際に、基板２１には複数の嵌合孔２１ａが形成されており、この嵌合孔２１ａがそれぞれ収納部２ｂ内に立設されているボス２ｃにそれぞれ嵌合するようになる。次いで、プラグ用貫通孔２ｆ内に嵌挿されているプラグ用筒状絶縁体３２の貫通孔３２ｃ内に中心導体３１を接続部３１ｆ側から挿通させる。中心導体３１は、図１５に示すように細長い棒状とされており、金メッキ等された金属製とされている。中心導体３１の先端には中心導体部３１ａが形成され、テーパ状の係合部３１ｂを介して中心導体部３１ａにはほぼ同径の嵌入部３１ｃが形成されている。この嵌入部３１ｃに連接して径が太くされた嵌合部３１ｅが形成されており、嵌合部３１ｅの中途にはテーパ部３１ｄが形成されている。さらに、嵌合部３１ｅは延伸されて若干径が細くされた接続部３１ｆが形成されている。このような中心導体３１を接続部３１ｆ側からプラグ用筒状絶縁体３２の貫通孔３２ｃ内に挿通していくと、嵌合部３１ｅに形成されているテーパ部３１ｄが貫通孔３２ｃに挿入された際に、中心導体３１が貫通孔３２ｃから抜け出ないように確実に固着されるようになる。さらに、中心導体の接続部３１ｆの先端が収納部２ｂに収納されている基板２１に形成されている接続孔を貫通するようになる。
【００１６】
次に、コネクタ用第１突出部２ｄおよびコネクタ用第２突出部２ｅ内に、中心コンタクト４１を保持しているコネクタ用筒状絶縁体４２を、それぞれ挿入する。コネクタ用筒状絶縁体４２には、図１９および図２０に示すように金属製の中心コンタクト４１が保持されており、中心コンタクト４１の後端部に位置する接続部４１ｄがコネクタ用筒状絶縁体４２から突出している。コネクタ用筒状絶縁体４２は、絶縁性の樹脂製とされ筒状部本体４２ａの前部に環状突部４２ｂが形成されており、その後部には複数のスリット４２ｆが形成されて弾力性が付与されている。この後端の周側面には第１突部４２ｅが形成され、その若干内側に第２突部４２ｄが形成されている。このようなコネクタ用筒状絶縁体４２をコネクタ用第１突出部２ｄおよびコネクタ用第２突出部２ｅのコネクタ用貫通孔２ｉに挿入すると、コネクタ用貫通孔２ｉの奥に対向して２つ形成されている図７に示す三角状に突出する三角突部２ｅの斜辺の壁に沿って第１突部４２ｅおよび第２突部４２ｄが案内されて挿入されていくようになる。
【００１７】
これにより、コネクタ用筒状絶縁体４２により保持されている中心コンタクト４１が所定の回転位置で位置決めされてコネクタ用貫通孔２ｉのほぼ中心軸上に保持されるようになる。また、コネクタ用貫通孔２ｉの端面はコネクタ用筒状絶縁体４２の環状突部４２ｂにより閉塞されるようになる。さらに、位置決めされた中心コンタクト４１の接続部４１ｄが、収納部２ｂ内に収納されている基板２１のプリント面に載置されるようになる。
そこで、基板２１のアースパターンを複数のボス２ｃにハンダ付けすると共に、基板２１から突出している中心導体３１の接続部３１ｆを入力パターンにハンダ付けし、さらに中心コンタクト４１の接続部４１ｄを出力パターンにそれぞれハンダ付けする。これにより、第１コネクタ部１１および第２コネクタ部１２が図４に示すように構成されるようになる。
【００１８】
ここで、図２１ないし図２４に示す中心コンタクト４１について説明すると、第１コネクタ部１１および第２コネクタ部１２に同軸ケーブルの先端に設けられている同軸プラグが取り付けられた際に、中心コンタクト４１には同軸プラグの中心導体が挿入されて両者の電気的接続が行われるようにされている。中心コンタクト４１は金属板を加工して作成されており、断面がＢ−Ｂ断面図で示すように６角形の内の５辺からなるコンタクト基部４１ａと、コンタクト基部４１ａから前方へ延伸する挟持部４１ｂと、コンタクト基部４１ａから後方へ延伸する延伸部４１ｃから構成されている。この挟持部４１ｂの断面形状はＡ−Ａ線断面図に示すようにくの字状とされており、大きな弾性を有するようにされている。また、中心コンタクト４１における延伸部４１ｃの先端には基板２１にハンダ付けされる接続部４１ｄが形成されている。
【００１９】
次に、分配器本体２の一面からほぼ直交して突出するよう形成されているプラグ用突出部２ｇにリング状のアースバネ３４を介してプラグ回転本体３５を回転可能に固着する。リング状のアースバネ３４はリン青銅等の薄い金属板を打ち抜いたものをリング状に折曲することにより作成されている。また、プラグ回転本体３５は図１３および図１４に示すように、プラグ回転本体３５の外形は六角ナットと同様に六角形とされており、金属製とされている。プラグ回転本体３５は、図１３に示すように、プラグ回転本体３５の先端部から中央部にかけてその内周面に同軸コネクタに螺着する取付ネジ部３５ｅが切られている。また、プラグ回転本体３５の内周面の後部にはリング状のアースバネ３４が収納されるスプリング収納部３５ａが形成されており、スプリング収納部３５ａの先端側に隣接して先端側がテーパ状に立設しているリング状回転係合部３５ｃが形成されている。さらに、その先端側に先端側がテーパ状に立設している係止用リング状突起３５ｄが形成されている。さらにまた、後端にはアースバネ３４が抜け出ないように係止するための抜止用突起３５ｂが形成されており、前端にはリング状の突出部３５ｆが形成されている。
【００２０】
このように構成されたプラグ回転本体３５におけるスプリング収納部３５ａにアースバネ３４を収納する。この状態において、プラグ回転本体３５を分配器本体２におけるプラグ用突出部２ｇに嵌挿する。次いで、図４に示すようにプラグ用突出部２ｇの先端に形成されているカシメ部２ｈが拡径されるようにカール加工を施す。これにより、カシメ部２ｈが拡径されて、プラグ回転本体３５の内周面に形成されたリング状回転係合部３５ｃに回転可能に係合するようになり、プラグ回転本体３５がプラグ用突出部２ｇに回転可能に固着される。なお、この際にプラグ回転本体３５内に収納されたアースバネ３４が分配器本体２のプラグ用突出部２ｇの周側面に弾接するため、プラグ回転本体３５と分配器本体２とは、相互に回転可能とされていてもアースバネ３４を介して電気的に確実に接続されるようになる。
【００２１】
次に、周縁部がテーパ状に形成されている絶縁樹脂製の閉塞円盤３３を、プラグ回転本体３５の先端側から嵌挿する。この際に、中心導体３１の中心導体部３１ａが、閉塞円盤３３のほぼ中心に形成されている挿通孔に挿通される。この閉塞円盤３３をさらにプラグ回転本体３５に押し込んでいくと、中心導体３１の係合部３１ｂを越えて嵌入部３１ｃに閉塞円盤３３が位置するようになる。この際に、閉塞円盤３３のテーパ状の周縁部が、図４に示すようにプラグ回転本体３５の内周面に形成されている係止用リング状突起３５ｄの前側に形成されているテーパ状部に当接するようになる。このため、閉塞円盤３３は確実に同軸コネクタの先端を受け止めることができるようになる。なお、係合部３１ｂの作用により閉塞円盤３３は嵌入部３１ｃから抜け出ないようになる。これにより、プラグ部１３が図４に示すように構成されるようになる。
このようにして図４に示すように組み立てられたＬ型回転分配器１において、プラグ部１３におけるプラグ回転本体３５を、テレビコンセント等の同軸コネクタに螺着すると、同軸コネクタの先端部が閉塞円盤３３の前面に衝合する。従って、この状態において分配器本体２はプラグ回転本体３５に対して回転可能となり、第１コネクタ部１１および第２コネクタ部１２に螺着されている同軸プラグが装着されている同軸ケーブルに応力が生じた際に、その応力を取り除けるように分配器本体２が回転するようになる。
【００２２】
以上説明した本発明にかかるＬ型回転分配器１は、住宅内の壁面に設けられたテレビコンセントに接続する分配器に限らず、電子機器のパネル等に設けられている同軸コネクタに接続される分配器としても用いることができる。
なお、本発明にかかるＬ型回転分配器におけるプラグ回転本体３５は、上記の説明では外形が六角形とされているとしたが、本発明はこれに限るものではなく外形が六角形以外の多角形としたり、外周面に平目や綾目のローレット加工を施した円形としてもよい。
さらに、分配器本体に収納されている基板に組まれている回路を分岐回路や他の回路に置き換えることにより、分配器以外の作用を有させることが可能となる。
【００２３】
【発明の効果】
本発明は以上説明したように、分配器本体の一面からプラグ部をほぼ直交するようＬ字状に突出するようにしたので、プラグ部をテレビコンセント等の同軸コネクタに螺着した際に、分配器本体はテレビコンセント等の取付面にほぼ平行に配置され、前方へ大きく突出しないようになる。
また、Ｌ型回転分配器のプラグ部をテレビコンセント等の同軸コネクタに螺着した際に、その同軸コネクタの先端が、プラグ部の内部に配置されている閉塞円盤に当接するようになるため、プラグ回転本体は分配器本体に対して回転可能となる。したがって、Ｌ型回転分配器におけるコネクタ部に接続されている同軸ケーブルに応力が発生してもその応力は、分配器本体が回転することにより取り除かれ、同軸プラグが緩まないようになる。これにより、応力によるＬ型回転分配器の破損を防止することができると共に、アースを完全にとることができるようになる。さらにまた、このようにＬ型回転分配器を取り付けた状態において分配器本体が回転可能に構成されていても、プラグ回転本体内に収納されたアースバネにより確実なアース接続を行うことができるため、Ｌ型回転分配器の電気的特性が劣化することはない。
なお、閉塞円盤のテーパ状とされている外周縁が、係止用リング状突起の前側に形成されているテーパ状部に当接されて係止されるため、閉塞円盤は確実に同軸コネクタの先端を受け止めることができる。
【図面の簡単な説明】
【図１】本発明の実施の形態にかかるＬ型回転分配器全体の構成を示す平面図である。
【図２】本発明の実施の形態にかかるＬ型回転分配器全体の構成を示す正面図である。
【図３】本発明の実施の形態にかかるＬ型回転分配器全体の構成を示す側面図である。
【図４】本発明の実施の形態にかかるＬ型回転分配器全体の構成を示す断面図で表した側面図である。
【図５】本発明の実施の形態にかかるＬ型回転分配器の構成を示す分解組立図である。
【図６】本発明の実施の形態にかかるＬ型回転分配器における分配器本体の構成を示す平面図である。
【図７】本発明の実施の形態にかかるＬ型回転分配器における分配器本体の構成を示す断面図で表した側面図である。
【図８】本発明の実施の形態にかかるＬ型回転分配器における分配器本体の構成を示す底面図である。
【図９】本発明の実施の形態にかかるＬ型回転分配器における蓋部の構成を示す断面図で表した側面図である。
【図１０】本発明の実施の形態にかかるＬ型回転分配器における蓋部の構成を示す平面図である。
【図１１】本発明の実施の形態にかかるＬ型回転分配器における蓋部の構成を示す側面図である。
【図１２】本発明の実施の形態にかかるＬ型回転分配器における蓋部の構成を示す底面図である。
【図１３】本発明の実施の形態にかかるＬ型回転分配器におけるプラグ回転本体の構成を示す半断面図で表した平面図である。
【図１４】本発明の実施の形態にかかるＬ型回転分配器におけるプラグ回転本体の構成を示す正面図である。
【図１５】本発明の実施の形態にかかるＬ型回転分配器における中心導体の構成を示す斜視図である。
【図１６】本発明の実施の形態にかかるＬ型回転分配器におけるプラグ用筒状絶縁体の構成を示す正面図およびその断面図である。
【図１７】本発明の実施の形態にかかるＬ型回転分配器におけるプラグ用筒状絶縁体の構成を示す側面図およびその断面図である。
【図１８】本発明の実施の形態にかかるＬ型回転分配器におけるプラグ用筒状絶縁体の構成を示す正面図および底面図である。
【図１９】本発明の実施の形態にかかるＬ型回転分配器におけるプラグ用筒状絶縁体の構成を示す半断面図で表した平面図である。
【図２０】本発明の実施の形態にかかるＬ型回転分配器におけるコネクタ用筒状絶縁体の構成を示す正面図である。
【図２１】本発明の実施の形態にかかるＬ型回転分配器における中心コンタクトの構成を示す平面図である。
【図２２】本発明の実施の形態にかかるＬ型回転分配器における中心コンタクトの構成を示す正面図である。
【図２３】本発明の実施の形態にかかるＬ型回転分配器における中心コンタクトの構成を示す右側面図である。
【図２４】本発明の実施の形態にかかるＬ型回転分配器における中心コンタクトの構成を示すＡ−Ａ線断面図およびＢ−Ｂ線断面図である。
【符号の説明】
１  Ｌ型回転分配器、２  分配器本体、２ａ  壁部、２ｂ  収納部、２ｃ  ボス、２ｄ  コネクタ用第１突出部、２ｅ  コネクタ用第２突出部、２ｆ  プラグ用貫通孔、２ｇ  プラグ用突出部、２ｈ  カシメ部、２ｉ  コネクタ用貫通孔、２ｊ  三角突部、１１  第１コネクタ部、１２  第２コネクタ部、１３  プラグ部、１４  蓋部、２１  基板、２１ａ  嵌合孔、３１  中心導体、３１ａ  中心導体部、３１ｂ  係合部、３１ｃ  嵌入部、３１ｄ  テーパ部、３１ｅ  嵌合部、３１ｆ  接続部、３２  プラグ用筒状絶縁体、３２ａ  絶縁体本体部、３２ｂ  突出部、３２ｃ  貫通孔、３２ｄ  鍔部、３２ｅ  十字状しきり部、３２ｆ  切欠、３３  閉塞円盤、３４  アースバネ、３５  プラグ回転本体、３５ａ  スプリング収納部、３５ｂ  抜止用突起、３５ｃ  リング状回転係合部、３５ｄ  係止用リング状突起、３５ｅ  取付ネジ部、３５ｆ  突出部、４１  中心コンタクト、４１ａ  コンタクト基部、４１ｂ  挟持部、４１ｃ  延伸部、４１ｄ  接続部、４２  コネクタ用筒状絶縁体、４２ａ  筒状部本体、４２ｂ  環状突部、４２ｄ  第２突部、４２ｅ  第１突部、４２ｆ  スリット
【図１】
0003615167.tif 000002
【図２】
0003615167.tif 000003
【図３】
0003615167.tif 000004
【図４】
0003615167.tif 000005
【図５】
0003615167.tif 000006
【図６】
0003615167.tif 000007
【図７】
0003615167.tif 000008
【図８】
0003615167.tif 000009
【図９】
0003615167.tif 000010
【図１０】
0003615167.tif 000011
【図１１】
0003615167.tif 000012
【図１２】
0003615167.tif 000013
【図１３】
0003615167.tif 000014
【図１４】
0003615167.tif 000015
【図１５】
0003615167.tif 000016
【図１６】
0003615167.tif 000017
【図１７】
0003615167.tif 000018
【図１８】
0003615167.tif 000019
【図１９】
0003615167.tif 000020
【図２０】
0003615167.tif 000021
【図２１】
0003615167.tif 000022
【図２２】
0003615167.tif 000023
【図２３】
0003615167.tif 000024
【図２４】
0003615167.tif 000025